(57)【要約】【課題】計量した重量に応じた適切な金額を即座に算出できるようにする。【解決手段】本発明による重量計測方法を用いた携帯端末装置は、重量計測機能を搭載した携帯端末装置であって、パラメータ入力手段と、重量算出手段と、金額算出手段とを備えたことを特徴とする。パラメータ入力手段は、被測定物の所定重量毎の単価を示すパラメータを入力する機能を備える。また、重量算出手段は、被測定物の重量を算出する機能を備える。また、金額算出手段は、前記パラメータ入力手段が入力したパラメータと前記重量算出手段が算出した重量とに基づいて、前記被測定物の重量に応じた金額を算出する機能を備える。【選択図】図１
2009063542.tif 000002
【特許請求の範囲】
【請求項１】
重量計測機能を搭載した携帯端末装置であって、
被測定物の所定重量毎の単価を示すパラメータを入力するパラメータ入力手段と、
被測定物の重量を算出する重量算出手段と、
前記パラメータ入力手段が入力したパラメータと前記重量算出手段が算出した重量とに基づいて、前記被測定物の重量に応じた金額を算出する金額算出手段とを
備えたことを特徴とする携帯端末装置。
【請求項２】
予め設定された設定通貨と前記設定通貨とは異なる非設定通貨との間の変換レートを示す変換レートデータを取得する変換レート取得手段と、
前記変換レート取得手段が取得した変換レートデータに基づいて、パラメータ入力手段が入力したパラメータに示される単価を変換する単価変換手段とを備え、
パラメータ入力手段は、被測定物の所定重量毎の前記非設定通貨による単価を示すパラメータを入力し、
前記単価変換手段は、前記パラメータ入力手段が入力したパラメータに示される前記非設定通貨による単価を前記設定通貨による単価に変換し、
金額算出手段は、前記単価変換手段が変換した単価に基づいて、被測定物の重量に応じた前記設定通貨による金額を算出する
請求項１記載の携帯端末装置。
【請求項３】
金額算出手段が算出した金額を音声出力するための音声データを生成する音声データ生成手段と、
前記音声データ生成手段が生成した音声データに基づいて、前記金額算出手段が算出した金額を音声出力する音声出力手段とを備えた
請求項１又は請求項２記載の携帯端末装置。
【請求項４】
被測定物の重量を計測するための重量計を備え、
前記重量計は、
被測定物を一端部に取り付け可能に構成され、伸張可能なアーム部材と、
前記アーム部材の前記被測定物が取り付けられる端部とは反対側の端部に、前記アーム部材による伸張力によって生じる電圧値又は電流値を測定する重量センサとを含み、
重量算出手段は、前記重量センサが測定した電圧値又は電流値を重量値に変換する
請求項１から請求項３のうちのいずれか１項に記載の携帯端末装置。
【請求項５】
変換レート取得手段は、通信ネットワーク上の所定のサーバから、前記通信ネットワークを介して変換レートデータを受信する請求項２記載の携帯端末装置。
【請求項６】
音声データ生成手段は、金額算出手段が算出した金額を音声出力するための音声データとともに、重量算出手段が算出した被測定物の重量を音声出力するための音声データを生成し、
音声出力手段は、前記音声データが生成した音声データに基づいて、前記金額算出手段が算出した金額とともに前記重量算出手段が算出した被測定物の重量を音声出力する
請求項３記載の携帯端末装置。
【請求項７】
携帯端末装置を用いて被測定物の重量を計測する重量計測方法であって、
被測定物の所定重量毎の単価を示すパラメータを入力するパラメータ入力ステップと、
被測定物の重量を算出する重量算出ステップと、
入力したパラメータと算出した重量とに基づいて、前記被測定物の重量に応じた金額を算出する金額算出ステップとを
含むことを特徴とする重量計測方法。
【請求項８】
予め設定された設定通貨と前記設定通貨とは異なる非設定通貨との間の変換レートを示す変換レートデータを取得する変換レート取得ステップと、
取得した変換レートデータに基づいて、入力したパラメータに示される単価を変換する単価変換ステップとを含み、
パラメータ入力ステップで、被測定物の所定重量毎の前記非設定通貨による単価を示すパラメータを入力し、
前記単価変換ステップで、入力したパラメータに示される前記非設定通貨による単価を前記設定通貨による単価に変換し、
金額算出ステップで、変換した単価に基づいて、被測定物の重量に応じた前記設定通貨による金額を算出する
請求項７記載の重量計測方法。
【請求項９】
携帯端末装置を用いて被測定物の重量を計測するための重量計測用プログラムであって、
コンピュータに、
被測定物の所定重量毎の単価を示すパラメータを入力するパラメータ入力処理と、
被測定物の重量を算出する重量算出処理と、
入力したパラメータと算出した重量とに基づいて、前記被測定物の重量に応じた金額を算出する金額算出処理とを
実行させるための重量計測用プログラム。
【請求項１０】
コンピュータに、
予め設定された設定通貨と前記設定通貨とは異なる非設定通貨との間の変換レートを示す変換レートデータを取得する変換レート取得処理と、
取得した変換レートデータに基づいて、入力したパラメータに示される単価を変換する単価変換処理とを実行させ、
パラメータ入力処理で、被測定物の所定重量毎の前記非設定通貨による単価を示すパラメータを入力する処理を実行させ、
前記単価変換処理で、入力したパラメータに示される前記非設定通貨による単価を前記設定通貨による単価に変換する処理を実行させ、
金額算出処理で、変換した単価に基づいて、被測定物の重量に応じた前記設定通貨による金額を算出する処理を実行させる
請求項９記載の重量計測用プログラム。
【発明の詳細な説明】
【技術分野】
【０００１】
本発明は、重量計測機能を搭載した携帯端末装置に関する。また、本発明は、携帯端末装置を用いた重量計測方法及び重量計測用プログラムに関する。
【背景技術】
【０００２】
一般に、秤等の重量計は人手で運ぶには重く、重量計を普段持ち歩くのは不便である。しかし、重量計を普段携帯して持ち歩くことができれば、様々な機会に役立ち助かることがある。例えば、店で肉を買う時に、店側で表示された重量が実際の重量と一致するかどうかを確認したいことがある。このようなときに、手元に重量計を携帯していれば、肉の重量を直ちに確認することができる。
【０００３】
重量計を携帯可能とする関連技術として、出願人は、例えば、特許文献１において、重量計付きの携帯端末装置を提案している。特許文献１に記載された携帯端末装置は、被測定物を取り付けるためのクリップを利用し、重量センサを用いて被測定物の重量を量る計測手段と、計測した重量データを表示する表示手段とをを備えている。また、出願人は、例えば、特許文献２において、重量計を付加した携帯電話機用のストラップを提案している。
【０００４】
また、例えば、特許文献３には、携帯電話機において荷物の長さや重量を計測し配送料金の算出する配送システムが記載されている。特許文献３に記載された配送システムでは、携帯電話機は、予めネットワークを介して料金データをダウンロードする。また、携帯電話機は、荷物の長さを測定するとともに、荷物の重量を計量する。そして、携帯電話機は、ダウンロードした料金データ、測定した荷物の長さ、及び計量した荷物の重量に基づいて、配送料金を算出する。
【０００５】
【特許文献１】特開２００６−３００６０４号公報（段落００３０−００３１、図１−３）
【特許文献２】特開２００７−５３５０９号公報（段落００１５−００２３、図１−２）
【特許文献３】特開２００６−２４０８０７号公報（段落００８２−００８６、図７）
【発明の開示】
【発明が解決しようとする課題】
【０００６】
出願人は、特許文献１及び特許文献２において、被測定物体の重量を計測し、表示する重量計付き携帯端末及び携帯端末用ストラップを提案することによって、重量計の携帯可能としている。しかし、特許文献１及び特許文献２では、被測定物体の重量計測を行い表示するだけの機能を有するにすぎない。一般に、実生活上において、単に被測定物体の重量値を求めることだけでなく、重量に基づいて被測定物体に関する他の情報を求めたい場面も多い。例えば、市場で買い物をするときに、購入品（例えば、量り売りの肉）の重量を求めると同時に、購入品の重量に応じた金額が正しいかどうかも確認したい場合がある。そのため、重量計を携帯できるとともに、計量した重量に応じた金額も即座に算出して表示できるようにすることが望ましい。
【０００７】
また、特許文献３に記載された配送システムでは、計測した荷物の長さや重量に基づいて、予め定められた料金データに従って配送料金を算出し表示することを可能としている。しかし、荷物の配送料金等の単価が予め固定的に定められた金額を算出できるにすぎず、日時や場所に応じて単価が変化する場合には、計量した重量に応じた金額を即座に算出することはできない。例えば、肉等の食料品は日時や店によって単価が異なり、店頭に行かなければ単価が分からないことが多い。このような場合に、特許文献３に記載された方法を適用したとしても、計量した重量に応じた適切な金額を即座に算出できない可能性がある。
【０００８】
そこで、本発明は、計量した重量に応じた適切な金額を即座に算出できる携帯端末装置、重量計測方法及び重量計測用プログラムを提供することを目的とする。
【課題を解決するための手段】
【０００９】
本発明による携帯端末装置は、重量計測機能を搭載した携帯端末装置であって、被測定物の所定重量毎の単価を示すパラメータを入力するパラメータ入力手段と、被測定物の重量を算出する重量算出手段と、パラメータ入力手段が入力したパラメータと重量算出手段が算出した重量とに基づいて、被測定物の重量に応じた金額を算出する金額算出手段とを備えたことを特徴とする。
【００１０】
本発明による重量計測方法は、携帯端末装置を用いて被測定物の重量を計測する重量計測方法であって、被測定物の所定重量毎の単価を示すパラメータを入力するパラメータ入力ステップと、被測定物の重量を算出する重量算出ステップと、入力したパラメータと算出した重量とに基づいて、被測定物の重量に応じた金額を算出する金額算出ステップとを含むことを特徴とする。
【００１１】
本発明による重量計測用プログラムは、携帯端末装置を用いて被測定物の重量を計測するための重量計測用プログラムであって、コンピュータに、被測定物の所定重量毎の単価を示すパラメータを入力するパラメータ入力処理と、被測定物の重量を算出する重量算出処理と、入力したパラメータと算出した重量とに基づいて、被測定物の重量に応じた金額を算出する金額算出処理とを実行させるためのものである。
【発明の効果】
【００１２】
本発明によれば、被測定物の所定重量毎の単価を示すパラメータを入力し、被測定物の重量を算出し、入力したパラメータと算出した重量とに基づいて、被測定物の重量に応じた金額を算出するように構成されているので、計量した重量に応じた適切な金額を即座に算出することができる。
【発明を実施するための最良の形態】
【００１３】
以下、本発明の実施形態を図面を参照して説明する。本発明では、重量計測機能を活用し、簡単な操作で重量や料金の計算を求める機能を備えるとともに、金額の表示や音声出力を行う機能を備える多機能の携帯端末装置を提供する。本発明では、携帯端末装置に重量計を内蔵する方法を用いて、重量計に含まれる重量センサを利用し、被測定物の重量を計測する。そして、計測した重量を携帯端末装置の表示部に表示する。この場合に、表示部等の出力部において表示するとともに、音声出力を行うことにより、被測定物の重量値を通知する。
【００１４】
また、予め被測定物の所定重量毎の単価を携帯端末装置からのキー操作により入力し、メモリに保持する。また、重量値を求めると、計算部で重量値と被測定物の単価値とを利用して、被測定物の合計金額を求める。そして、携帯端末装置の表示部で、重量値、単価値及び合計金額を表示する。この場合に、表示部等の出力部において表示するとともに、音声出力を行うことにより、重量値、単価値及び合計金額を通知する。
【００１５】
また、海外で便利に利用できるようにするために、入力部から単価や合計金額の表示種類を自由に設定できるようにするとともに、無線部を用いてインターネット上の所定のサーバを介して最新の為替レートデータを取得できるようにする。そして、計算部でレート換算を行い、表示と音声出力とにより、計測表示単位や、単価、合計金額（外貨の合計金額値や、円に換算した合計金額値）を通知できるようにする。
【００１６】
図１は、本発明による重量計測方法を用いた携帯端末装置の構成の一例を示すブロック図である。本実施形態では、図１に示すように、携帯端末装置が携帯電話機１０である場合を説明する。なお、携帯端末装置は、携帯電話機に限らず、例えば、ＰＨＳ（Personal Handyphone System）端末や、ＰＤＡ（Personal Data Assistance, Personal Digital Assistants：個人向け携帯型情報通信機器）等の端末であってもよい。また、図１には、携帯端末装置としての携帯電話機１０の回路構成の要部が示されている。
【００１７】
図１に示すように、携帯電話機１０は、制御部１１、ＲＯＭ１２、ＲＡＭ１３、重量センサ制御部１４、重量センサ１５、無線部１７、キー入力部１８、表示部１９、計算部２０、音声処理部２１及びスピーカ２２を含む。
【００１８】
図１に示すように、本実施形態において、携帯電話機１０は、制御部１１を搭載しており、制御部１１は、バス１６を介して装置（携帯電話機１０）内の各部と接続されている。制御部１１は、例えば、プログラムに従って動作するＣＰＵを用いて実現され、バス１６を介して各部を制御する機能を備える。
【００１９】
ＲＯＭ１２（リード・オンリ・メモリ）は、制御部１１が実行するための各種の制御用プログラムや音声メッセージデータ等の固定的なデータを格納する。
【００２０】
ＲＡＭ１３（ランダム・アクセス・メモリ）は、制御部１１がプログラムを実行する上で一時的に必要とされるデータを格納する。なお、測定した重量に基づいて被測定物の合計金額を求める場合には、ＲＡＭ１３は、計算用の数値データを所定の領域に格納する。
【００２１】
重量センサ制御部１４は、例えば、各種演算回路によって実現される。重量センサ制御部１４は、被測定物の計測開始状態になると、制御部１１の指示に従って、重量センサ１５に電圧値や電流値を測定させる機能を備える。また、重量センサ制御部１４は、重量センサ１５が測定した電圧値や電流値を重量値に変換し、求めた被測定物の重量値を制御部１１に出力する機能を備える。なお、制御部１１が、重量センサ１５によって測定された電圧値や電流値に基づいて、被測定物の重量値を求めるようにしてもよい。
【００２２】
重量センサ１５は、携帯電話機１０の外部からかかる圧力の変化を、電圧変化や電流変化に変換して出力する電気素子である。
【００２３】
無線部１７は、制御部１１の指示に従って、無線信号としてデータの送受信を行う回路である。
【００２４】
キー入力部１８は、キー操作部からのキー入力を受け付ける入力回路である。例えば、キー入力部１８は、ユーザの操作に従って、被測定物の重量の計測開始の指示や、重量計測のパラメータの設定指示を入力する。
【００２５】
表示部１９は、装置（携帯電話機１０）本体の前面に配置されており、白黒表示又はカラー表示が可能な液晶パネル装置や有機ＥＬ装置等の表示装置である。
【００２６】
計算部２０は、例えば、各種演算回路によって実現される。計算部２０は、計量した被測定物の重量に基づいて、金額等の数値計算を行う回路である。なお、制御部１１が、被測定物の重量に基づいて、金額等の数値を求めるようにしてもよい。
【００２７】
音声処理部２１は、例えば、各種音声処理回路によって実現される。音声処理部２１は、制御部１１からの指令に従って、ＲＯＭ１２から所定の音声データメッセージを読み出す処理を実行する機能を備える。また、音声処理部２１は、制御部１１の指示に従って、被測定物の重量の計測結果に基づいて音声データを生成する処理を実行する機能を備える。また、音声処理部２１は、制御部１１の指示に従って、生成した音声データに基づいて、スピーカ２２に音声を出力させる出力処理を行う機能を備える。なお、制御部１１が、被測定物の重量の計測結果を基づいて音声データを生成するようにしてもよい。
【００２８】
スピーカ２２は、音声処理部２１が生成した音声データに基づいて、音声を出力する音声出力装置である。
【００２９】
なお、本実施形態において、携帯電話機１０のＲＯＭ１２は、被測定物の重量を計測して金額を算出するための各種プログラムを記憶している。例えば、制御部１１が被測定物の重量値や金額等の数値の算出処理や、音声データの生成処理も実行する場合、ＲＯＭ１２は、コンピュータに、被測定物の所定重量毎の単価を示すパラメータを入力するパラメータ入力処理と、被測定物の重量を算出する重量算出処理と、入力したパラメータと算出した重量とに基づいて、被測定物の重量に応じた金額を算出する金額算出処理とを実行させるための重量計測用プログラムを記憶している。
【００３０】
図２は、図１に示す重量計付き携帯電話機１０の外観を示す斜視図である。図２において、重量計空洞部１２０は、携帯電話機１０における重量計１３０を内蔵する箇所である。図２に示すように、携帯電話機１０は、その本体ハウジング１２１内に、重量計１３０を収容する重量計空洞部１２０が形成されている。また、携帯電話機１０の本体ハウジング１２１の底部又は側部には開口１４０が設けられており、重量計空洞部１２０は、その入口部分が本体ハウジング１２１に設けられた開口１４０に位置するように配置されている。
【００３１】
図３は、重量計空洞部１２０に重量計１３０が取り付けられている状態を示す断面図である。また、図４は、被測定物の重量を計量している状態を示す重量計空洞部１２０の断面図である。重量計１３０は、被測定物の重量計測用の装置である。図３及び図４に示すように、重量計１３０は、鰐口クリップ１３２及びカバー１３３を備える。鰐口クリップ１３２は、被測定物を挟んで止めるための部品である。カバー１３３は、重量計１３０を使用していないときに、鰐口クリップ１３２等を収納し落下防止を行うための蓋である。
【００３２】
図３及び図４を用いて、重量計１３０の構成と計測原理について説明する。重量計１３０を被測定物の計量に用いていないときには、開口１４０は、図３及び図４に示すように、重量計１３０とは別体として設けられているカバー１３３によって閉塞される。なお、カバー１３３は、携帯電話機１０から抜け落ちて紛失しないように、本体ハウジング１２１に取り付けられていることが好ましい。重量計１３０の未使用時に開口１４０がカバー１３３によって閉塞されることによって、重量計１３０から鰐口クリップ１３２等の部品が突出してユーザに不快感を与えることを防止し、重量計１３０自体の破損を防止することができる。
【００３３】
重量計空洞部１２０内の重量計１３０は、開口１４０に近接する側の一端部に、入れ子式の伸張自在なばねアーム１３６を備える。また、ばねアーム１３６には、ナットボタン１３５を介して、鰐口クリップ１３２付きバンド１３１が取り付けられている。
【００３４】
重量計１３０を用いて計量を行う場合、ユーザは、ばねアーム１３６のロック状態を解除するために、ナットボタン１３５を軽く押す。すると、図４に示すように、ばねアーム１３６のロック状態が解除されて、ばねアーム１３６が引き下がって最大伸張状態となる。
【００３５】
一方、重量計を用いた計量を終わると、ユーザは、ばねアーム１３６を解放するためにナットボタン１３５を再度押した後に、パチンとクリック音がしてロック状態となるまでばねアーム１３６を重量計空洞部１２０内に押し込む。また、重量計１３０を使用していない状態では、鰐口クリップ１３２及びバンド１３１も、ばねアーム１３６と同様に重量計空洞部１２０内に仕舞い込まれた状態で収納される。
【００３６】
ばねアーム１３６の端部のうち、鰐口クリップ１３２及びバンド１３１が取り付けられている側とは反対側の端部には、重量センサ１５が配置されている。また、重量センサ１５の頂部（鰐口クリップ１３２やバンド１３１が配置されている側とは反対側の面）には、補助の重量分散ナット１３４が配置されている。また、重量センサ１５には回旋状の穴が設けられ、重量分散ナット１３４には穴が設けられている。そして、ばねアーム１３６は、重量センサ１５に設けられた回旋状の穴、及び重量センサ１５の頂部に横たわる補助の重量分散ナット１３４に設けられた穴の中に挿入された状態で配置されている。
【００３７】
また、ばねアーム１３６は、他端（鰐口クリップ１３２及びバンド１３１が取り付けられている側とは反対側の端部）が、円錐形状の円錐ヘッド１３７となっている。そして、重量分散ナット１３４は、重量センサ１５と接する側とは反対側の面に、ばねアーム１３６の円錐ヘッド１３７が取り付けられた状態となっている。
【００３８】
上記のような構成の重量計１３０において、重量測定の対象である被測定物が鰐口クリップ１３２に取り付けられると、被測定物の重みによってばねアーム１３６に牽引力がかかる。すると、ばねアーム１３６にかかる牽引力は、ばねアーム１３６の円錐ヘッド１３７によって重量センサ１５上に生じる圧縮力に変換される。なお、重量分散ナット１３４は、その圧縮力を重量センサ１５上に均等に振り分けるように作用するのであるが、円錐ヘッド１３７がその圧縮力を均等に振り分けるように作用する機能を備えているのであれば、重量分散ナット１３４はなくてもよい。
【００３９】
重量センサ１５は、重量計１３０のばねアーム１３６の伸張力（具体的には、変換された圧縮力）によって生じた電圧値や電流値を測定する。そして、重量センサ制御部１４は、重量センサ１５が測定した電圧値や電流値を重量値に変換して出力する。
【００４０】
なお、ばねアーム１３６を安定させるとともに、曲がりによるばねアーム１３６の破損を防ぐために、本体ハウジング１２１の重量計空洞部１２０内には、突起形状のガイドフランジ１３９が設けられている。また、このガイドフランジ１３９は、低摩擦ベアリングとしての役割も果たす。
【００４１】
なお、本実施形態では、図３及び図４に示すように、被測定物を鰐口クリップ１３２に挟んで吊り下げれば、携帯電話機１０のような携帯端末装置に重量計１３０を搭載した場合であっても、容易かつ正確に被測定物の重量を計量することができる。例えば、特開２００６−２４０８０７号公報に記載された配送システムの携帯電話機では、被測定物の重量を測定するために４点測量を行わなければならない（特開２００６−２４０８０７号公報の段落００７１−００７９参照）。そのため、被測定物の計量に手間がかかるとともに、被測定物の重量を正確に計量できるとはかぎらない。本実施形態によれば、１回の計量操作で重量測定できるので、容易かつ正確に被測定物の重量を計量することができる。
【００４２】
次に、動作について説明する。図５は、携帯端末装置を用いた重量計測、金額計算及び通知処理の一例を示す流れ図である。重量計１３０を搭載する携帯電話機１０のユーザは、被測定物の重量を測定する時に、まず、携帯電話機１０の本体ハウジング１２１の底部や側部の重量計空洞部１２０に取り付けられているカバー１３３を外す。また、被測定物を挟んで止めるための鰐口クリップ１３２を取り出す。次いで、ユーザは、キー操作部を操作して、携帯電話機１０の表示部１９に表示されるグラフィカル・ユーザ・インターフェイス（ＧＵＩ）中のメニュー項目を選択し、重量計１３０を起動操作する。
【００４３】
キー入力部１８は、ユーザの操作に従って、重量計１３０の起動指示を入力する。そして、制御部１１は、キー入力部１８が入力した起動指示に従って、重量計１３０を起動する。
【００４４】
重量計１３０を起動すると（ステップＳ４０のＹ）、制御部１１は、重量センサ制御部１４に指令を送り、重量計１３０の初期化と重量センサ１５の校正化とを重量センサ制御部１４に実行させる（ステップＳ４１）。重量計１３０の初期化を完了すると、重量センサ制御部１４は、制御部１１に、重量計１３０の初期化と重量センサ１５の校正を完了したことを示す初期化完了通知を送る。
【００４５】
制御部１１は、初期化完了通知を受信すると、重量計１３０の初期化及び重量センサ１５の校正を完了し計測準備できた旨の計測可能の通知（完了表示）を表示部１９に表示させる（ステップＳ４２）。また、ステップＳ４２において、完了表示と同時に、制御部１１は、音声処理部２１に対しても、重量計１３０の初期化及び重量センサ１５の校正を完了した旨の初期化完了通知を送信する。すると、音声処理部２１は、初期化完了通知の受信に従って、ＲＯＭ１２から所定の音声メッセージ（例えば、「計測準備できた。計測可能」の音声データ）を読み込んでＲＡＭ１３に展開する。そして、音声処理部２１は、音声メッセージをスピーカ２２に出力させて、被測定物の重量測定の準備ができたことをユーザに知らせる。
【００４６】
計測可能な状態になると、ユーザは、被測定物を鰐口クリップ１３２に取り付けて、重量計測のための計測パラメータのキー入力操作を行うとともに、重量計測の開始指示のキー入力操作を行う。すると、制御部１１は、ユーザの操作に従って、キー入力部１８が入力した設定値に従って、計測パラメータ（例えば、金額の算出に用いる重量毎の単価）の設定処理を行う（ステップＳ４３）。また、キー入力部１８は、ユーザの操作に従って、重量計測の開始を指示する計測開始信号を制御部１１に送る。
【００４７】
例えば、ユーザは、肉屋等の食料品店の店頭で、肉等の食料品の重量毎の単価を確認して、携帯電話機１０を用いて単価の設定操作を行う。すると、制御部１１は、ユーザの操作に従って、肉等の食料品の重量毎の単価を設定する。
【００４８】
計測開始信号を入力すると（ステップＳ４４のＹ）、制御部１１は、重量センサ１５を用いた電圧値や電流値の測定を開始するように、重量センサ制御部１８に要求する。また、キー入力部１８は、重量センサ１５が測定した電圧値や電流値を入力すると、入力した電圧値や電流値を重量値に変換し、制御部１１に出力する。
【００４９】
制御部１１は、ユーザに通知するために、測定した重量値を表示部１９に送り、携帯電話機１０の表示部１９の画面上に重量値を表示させる。また、重量値の表示と同時に、制御部１１は、測定した重量値を音声処理部２１に対しても送る。そして、音声処理部２１は、重量値を音声出力するための音声データを生成し、スピーカ２２に音声出力させて、ユーザに知らせる。
【００５０】
また、被測定物の重量に応じた合計金額を求める場合には、制御部１１は、ステップＳ４３において、キー入力操作に従って、予め被測定物の重量毎の単価（例えば、１００円／１００ｇ）をＲＡＭ１３上に設定し記憶している。この場合、重量センサ制御部１４は、求めた重量値の結果を、ＲＡＭ１３に記憶する重量毎の単価とともに、計算部２０に送る。すると、計算部２０は、重量センサ制御部１４からの重量値及び単価に基づいて、重量に応じた合計金額を算出する（ステップＳ４５）。具体的には、計算部２０は、計測した重量値に単価を乗算して合計金額を求め、制御部１１に出力する。
【００５１】
計算部２０が合計金額を算出した後、制御部１１は、重量値、単価値及び算出した合計金額値を、表示部１９及び音声処理部２１に送る。音声処理部２１は、重量値、単価値及び算出した合計金額値を音声出力するための音声データを生成する（ステップＳ４６）。また、制御部１１は、重量値、単価値及び算出した合計金額値を表示部１９に表示させる（ステップＳ４７）。また、音声処理部２１は、生成した音声データに基づいて、重量値、単価値及び算出した合計金額値を、スピーカ２２に音声出力させて（ステップＳ４８）、ユーザが認知できるようにする。
【００５２】
そして、全ての被測定物について処理を終了し、ユーザによって処理終了の操作が行われると、携帯電話機１０は、重量計測及び金額計算の処理を終了する（ステップＳ４９）。
【００５３】
なお、図５に示す例では、予め「円」を設定通貨として設定し、被測定物の重量に応じた合計金額を算出する際の単位となる通貨種類が初期状態で設定通貨「円」であるとしたが、例えば、設定通貨以外の非設定通貨によるパラメータを入力し合計金額を求めるようにしてもよい。例えば、携帯電話機１０は、ユーザのキー入力操作に従って、設定通貨「円」以外の他の非設定通貨（例えば、「ドル」や「ユーロ」）による単価をパラメータとして入力し、設定通貨「円」に変換した単価を求めて合計金額を求めてもよい。そのようにすれば、例えば、重量計１３０付き携帯電話機１０を、海外で利用する場合に便利である。
【００５４】
通貨種類を変更可能とする場合、制御部１１は、ユーザのキー入力設定に従って、インターネット等のネットワーク上の所定のサーバ（例えば、その日の通貨ペアの為替レート（外貨対円の為替レート）を保持するデータベースを備えたＷｅｂサーバ）にアクセスする。また、制御部１１は、その日の通貨ペアの為替レートデータをダウンロードする処理を無線部１７に要求し、無線部１７を用いて為替レートデータを無線信号として受信する。そして、制御部１１は、ダウンロードしたその日の通貨ペアの為替レートデータをＲＡＭ１３上に保存させる。
【００５５】
次いで、重量センサ制御部１４は、ステップＳ４５の被測定物の重量に応じた合計金額を求める処理において、該当する通貨ペアの為替レートデータを、重量値及び単価値とともに計算部２０に出力する。また、計算部２０は、該当通貨（予めデフォルトで設定された設定通貨（本例では、「円」））に変換した合計金額を算出するだけでなく、対円の単価値と対円の合計金額（例えば、「ドル」や「ユーロ」等の通貨単位で算出した合計金額）も算出する。そして、制御部１１は、設定通貨に変換した合計金額や、対円の単価値、対円の合計金額の計算結果を、ユーザが認知できるように、表示部１９に画面表示させ、音声処理部２１に音声出力させる。
【００５６】
以上の処理に従って、携帯端末装置上の重量計１３０が起動され、計測結果の表示及び音声通知が行われる。
【００５７】
次いで、図５に示したステップＳ４３の計測パラメータの設定処理、及びステップＳ４５の計測結果の算出処理について説明する。図６は、図５に示したステップＳ４３の計測パラメータの設定処理を示す流れ図である。また、図７は、図５に示すたステップＳ４５の計測結果の算出処理を示す流れ図である。
【００５８】
図６に示すように、計測パラメータの設定処理では、計測パラメータの設定の有無の判定処理や、被測定物単価の入力設定処理、表示金額通貨変更を行う。そのような場分け処理を実行することによって、被測定物の重量計測前に各計測パラメータを設定し、重量計測後の計測結果を算出するために各計測パラメータを準備する。
【００５９】
計測パラメータの設定処理において、制御部１１は、ユーザの操作に従って、パラメータ設定を行う旨の指示を入力したか否かを判断する（ステップＳ５１）。パラメータ設定を行う旨の指示を入力した場合、制御部１１は、ユーザの入力操作に従って、計測パラメータを入力し設定する（ステップＳ５２）。例えば、制御部１１は、被測定物（例えば、肉等の食料品）の重量毎の単価（例えば、１００円／１００ｇ）の情報を入力しＲＡＭ１３に記憶させる。また、例えば、ユーザが海外にいる場合には、制御部１１は、非設定通貨による被測定物の重量毎の単価（例えば、１ドル／１００ｇ）の情報を入力しＲＡＭ１３に記憶させる。
【００６０】
次いで、制御部１１は、ユーザの操作に従って、被測定物の重量に応じた合計金額の算出に用いる通貨種類の変更指示を入力したか否かを判断する（ステップＳ５３）。通貨種類の変更指示を入力した場合、制御部１１は、インターネット等のネットワーク上の所定のサーバにアクセスする。そして、制御部１１は、変更指示された非設定通貨（例えば、「ドル」や「ユーロ」）と設定通貨（本例では、「円」）との間の為替レートデータを、ネットワークを介してダウンロードする処理を行う（ステップＳ５４）。また、制御部１１は、ダウンロードした為替レートデータをＲＡＭ１３に記憶させ、合計金額の算出に用いる通貨を設定する（ステップＳ５５）。
【００６１】
例えば、ユーザが日本国内にいるときに携帯電話機１０を用いて重量測定を行う場合には、食料品店等の店頭では設定通貨「円」による単価表示がされているのであるから、ユーザは、通貨種類の変更指示の操作を行わない。この場合、ステップＳ５２で、制御部１１は、ユーザの操作に従って、設定通貨「円」による単価をパラメータとして入力する。そして、制御部１１は、ステップＳ５３で通貨種類の変更指示を入力しなかったと判断し、そのままステップＳ４４に移行する。
【００６２】
一方、例えば、ユーザが海外にいるときに携帯電話機１０を用いて重量測定を行うときには、食料品店等の店頭では非設定通貨（例えば、「ドル」や「ユーロ」）による単価表示がされているのであるから、ユーザは、単価の入力操作を行った後に、通貨種類の変更指示の操作を行う。この場合、ステップＳ５２で、制御部１１は、ユーザの操作に従って、非設定通貨（例えば、「ドル」や「ユーロ」）による単価をパラメータとして入力する。そして、制御部１１は、ステップＳ５３で通貨種類の変更指示を入力したと判断し、ステップＳ５４を実行して為替レートデータの最新データを取得する。
【００６３】
図７に示すように、計測結果の算出処理では、重量値の算出処理や、計測パラメータの設定状況に従って、重量値だけを算出したり、重量値と合計金額（単位「円」）とを算出したり、重量値、設定通貨の合計金額、及び対円の合計金額の算出を行う。そのような場分け処理を実行することによって、金額等の算出処理を行い、算出結果を次の処理（本例では、算出結果を音声処理部２１で音声データを生成する処理（ステップＳ４６参照））に用いる。
【００６４】
計測結果の算出処理において、重量センサ制御部１４は、重量センサ１５が計測した電圧値や電流値に基づいて、被測定物の重量値を算出する（ステップＳ６１）。次いで、計算部２０は、計測パラメータの設定処理において金額の算出に用いる通貨種類が変更されたか否かを確認する（ステップＳ６２）。
【００６５】
通貨種類が変更されていれば（ステップＳ６２のＹ）、計算部２０は、単価値（金額の算出に用いる重量毎の単価）が設定されていれば、ＲＡＭ１３に設定した為替レートデータに基づいて、ＲＡＭ１３に設定した単価値（非設定通貨による単価値）を、設定通貨に換算した値を算出する（ステップＳ６３）。例えば、計算部２０は、非設定通貨「ドル」や「ユーロ」を単位として入力した単価値を、設定通貨「円」に換算した値に変換する。
【００６６】
そして、計算部２０は、単価値が設定されていれば（ステップＳ６５のＹ）、ステップＳ６１で算出された重量値と、ステップＳ６３で換算された単価値とに基づいて、設定通貨（例えば「円」）による合計金額を算出する（ステップＳ６６）。この場合、計算部２０は、設定通貨による合計金額を算出するとともに、非設定通貨による対円の合計金額も算出する。例えば、計算部２０は、「ドル」や「ユーロ」等の通貨の単位で表した合計金額を算出する。
【００６７】
なお、計算部２０は、単価値が設定されていなければ（ステップＳ６５のＮ）、合計金額を算出することなく、そのままステップＳ４６に移行する。すなわち、この場合、被測定物の重量値の算出のみが行われることになる。
【００６８】
通貨種類が変更されていなければ（ステップＳ６２のＮ）、計算部２０は、単価値の設定がされていれば（ステップＳ６４）、ステップＳ６１で算出された重量値と、ＲＡＭ１３に設定された単価値とに基づいて、設定通貨「円」を単位とする合計金額を算出する（ステップＳ６７）。
【００６９】
なお、計算部２０は、単価値が設定されていなければ（ステップＳ６４のＮ）、合計金額を算出することなく、そのままステップＳ４６に移行する。すなわち、この場合、被測定物の重量値の算出のみが行われることになる。
【００７０】
以上のように、本実施形態によれば、簡単な操作で被測定物の重量を計測し、携帯端末装置で画面表示したり音声出力したりすることにより、ユーザに対して知らせることができる。
【００７１】
また、本実施形態によれば、予め所定重量毎の単価を入力し、被測定物の重量値を求めるだけでなく、被測定物の重量に応じた合計金額も求めることができる。また、求めた合計金額も携帯端末装置で画面表示したり音声出力したりすることにより、ユーザに対して知らせることができる。
【００７２】
また、本実施形態によれば、被測定物の所定重量毎の単価を示すパラメータを入力し、入力したパラメータと算出した重量ともに基づいて、被測定物の重量に応じた金額を算出する。従って、計量した重量に応じた適切な金額を即座に算出することができる。
【００７３】
例えば、特許文献１に記載された配送システムのように、予めネットワークを介して料金データをダウンロードするようにすると、荷物の配送料金等の単価が予め固定的に定められた金額を算出することしかできない。これに対して、本実施形態では、日時や場所に応じて単価が変化する場合であっても、その場でパラメータを入力して金額を算出できるので、計量した重量に応じた適切な金額を即座に算出することができる。例えば、肉等の食料品は日時や店によって単価が異なり、店頭に行かなければ単価が分からない場合であっても、計量した重量に応じた適切な金額を即座に算出することができる。
【００７４】
また、出願人が特許文献１及び特許文献２に示した提案では、被測定物体の計測結果を携帯端末装置の表示部で表示しているにすぎず、ユーザが表示部の表示内容を見なければ、重量の計量結果や金額の算出結果を知ることはできない。例えば、少し重いものを計測するときに、表示内容が見えるようにするためには、計測状態中の携帯端末装置を持ち上げなければならず、より重量の計量結果や金額の算出結果を認識しやすくすることが望ましい。また、折り畳み式携帯端末装置を用いる場合には、携帯端末装置を開いた状態としなければ、表示内容を確認することはできない。さらに、携帯端末装置を開いた状態で計測しようとすると、被測定物体の重量によって、携帯端末装置を閉じた状態で計測するときに比べて、携帯端末装置を持ちにくく不安定となる。そのため、被測定物の計測をしにくく感じるときがある。
【００７５】
本実施形態によれば、被測定物の重量の測定結果や金額の算出結果を音声出力するための音声データを生成し、スピーカ２２に音声出力させるので、音声により重量の測定結果や金額の算出結果をユーザに知らせることができる。そのため、表示するだけの場合と比較して、より重量の測定結果や金額の算出結果を確認しやすくすることができ、被測定物の重量の測定がしにくくなる事態を防止することができる。
【００７６】
さらに、一般に、海外で買い物をしたり現地の通貨を利用したりするときに、円を利用するときと比べて、金銭感覚を掴みずらい。そのため、よく現地通貨の価値を円に変換して考え、商品の価格が安いか高いかを判断し、購入するか否かを決める基準として参考する場合が多い。そのような場合に、簡単にリアルタイムに通貨為替レートを知り、より正確に現地通貨を円に変換できるようにすることが望ましい。
【００７７】
本実施形態によれば、海外で利用する場合でもより便利に利用できるようにするために、インターネット上の所定のサーバから通貨レートデータを取得する。また、現地の通貨での被測定物の合計金額と、その日の為替レートに従って円に換算した合計金額及び単価金額とを求めることができる。そして、求めた現地通貨／円による合計金額や単価金額の計算結果も、携帯端末装置で画面表示したり音声出力したりすることにより、ユーザに対して知らせることができる。
【００７８】
以上のことから、本実施形態では、重量計測機能や、金額計算機能、デジタル表示機能、及び音声出力読み上げ機能と、最新の多通貨対円の為替レートの取得／変換表示機能との有効な組み合わせにより、多機能の重量計測付き携帯端末装置を提案している。
【００７９】
次に、本発明による重量計測方法を用いた携帯端末装置の最小構成について説明する。図８は、携帯端末装置の最小の構成例を示すブロック図である。図８に示すように、携帯端末装置である携帯電話機１０は、最小の構成要素として、制御部１１、重量センサ制御部１４、及び計算部２０を含む。
【００８０】
制御部１１は、ユーザの操作に従って、携帯電話機１０が備えるキー入力部から、被測定物の所定重量毎の単価を示すパラメータを入力する機能を備える。重量センサ制御部１４は、携帯電話機１０が備える重量センサが測定した電圧値や電流値に基づいて、被測定物の重量を算出する機能を備える。計算部２０は、制御部１１が入力したパラメータと重量センサ制御部１４が算出した重量とに基づいて、被測定物の重量に応じた金額を算出する機能を備える。
【００８１】
図８に示す最小構成の携帯端末装置によれば、計量した重量に応じた適切な金額を即座に算出することができる。
【００８２】
なお、実施形態では、以下の（１）〜（６）に示すような携帯端末装置の特徴的構成が示されている。
【００８３】
（１）重量計測機能を搭載した携帯端末装置であって、被測定物の所定重量毎の単価を示すパラメータを入力するパラメータ入力手段（例えば、制御部１１によって実現される）と、被測定物の重量を算出する重量算出手段（例えば、重量センサ制御部１４によって実現される）と、パラメータ入力手段が入力したパラメータと重量算出手段が算出した重量とに基づいて、被測定物の重量に応じた金額を算出する金額算出手段（例えば、計算部２０によって実現される）とを備えたことを特徴とする。そのような構成によれば、計量した重量に応じた適切な金額を即座に算出することができる。
【００８４】
（２）携帯端末装置は、予め設定された設定通貨（例えば「円」）と設定通貨とは異なる非設定通貨（例えば、「ドル」や「ユーロ」）との間の変換レートを示す変換レートデータ（例えば、為替レートデータ）を取得する変換レート取得手段（例えば、制御部１１によって実現される）と、変換レート取得手段が取得した変換レートデータに基づいて、パラメータ入力手段が入力したパラメータに示される単価を変換する単価変換手段（例えば、計算部２０によって実現される）とを備え、パラメータ入力手段は、被測定物の所定重量毎の非設定通貨による単価を示すパラメータを入力し、単価変換手段は、パラメータ入力手段が入力したパラメータに示される非設定通貨による単価を設定通貨による単価に変換し、金額算出手段は、単価変換手段が変換した単価に基づいて、被測定物の重量に応じた設定通貨による金額を算出するように構成されていてもよい。そのような構成によれば、被測定物の重量に応じた金額として「円」等の設定通貨に変換した金額を算出することができ、海外にいる場合であっても、携帯端末装置を用いた重量測定機能をより便利に利用することができる。
【００８５】
（３）携帯端末装置は、金額算出手段が算出した金額を音声出力するための音声データを生成する音声データ生成手段（例えば、音声処理部２１によって実現される）と、音声データ生成手段が生成した音声データに基づいて、金額算出手段が算出した金額を音声出力する音声出力手段（例えば、スピーカ２２によって実現される）とを備えるように構成されていてもよい。そのような構成によれば、表示するだけの場合と比較して、より金額の算出結果を確認しやすくすることができ、被測定物の重量の測定がしにくくなる事態を防止することができる。
【００８６】
（４）携帯端末装置は、被測定物の重量を計測するための重量計（例えば、重量計１３０）を備え、重量計は、被測定物を一端部に取り付け可能に構成され、伸張可能なアーム部材（例えば、ばねアーム１３６）と、アーム部材の被測定物が取り付けられる端部とは反対側の端部に、アーム部材による伸張力によって生じる電圧値又は電流値を測定する重量センサ（例えば、重量センサ１５）とを含み、重量算出手段は、重量センサが測定した電圧値又は電流値を重量値に変換するように構成されていてもよい。そのような構成によれば、１回の計量操作で重量測定できるので、容易かつ正確に被測定物の重量を計量することができる。
【００８７】
（５）携帯端末装置において、変換レート取得手段は、通信ネットワーク上の所定のサーバから、通信ネットワークを介して変換レートデータを受信するように構成されていてもよい。そのような構成によれば、通信ネットワークを介して最新の変換レートデータを容易に取得することができる。
【００８８】
（６）携帯端末装置において、音声データ生成手段は、金額算出手段が算出した金額を音声出力するための音声データとともに、重量算出手段が算出した被測定物の重量を音声出力するための音声データを生成し、音声出力手段は、音声データが生成した音声データに基づいて、金額算出手段が算出した金額とともに重量算出手段が算出した被測定物の重量を音声出力するように構成されていてもよい。そのような構成によれば、表示するだけの場合と比較して、より重量の測定結果や金額の算出結果を確認しやすくすることができ、被測定物の重量の測定がしにくくなる事態を防止することができる。
【産業上の利用可能性】
【００８９】
本発明は、携帯電話機や、ＰＨＳ端末、ＰＤＡ等の携帯端末装置に適用できる
【図面の簡単な説明】
【００９０】
【図１】本発明による重量計測方法を用いた携帯端末装置の構成の一例を示すブロック図である。
【図２】図１に示す重量計付き携帯電話機の外観を示す斜視図である。
【図３】重量計空洞部に重量計が取り付けられている状態を示す断面図である。
【図４】被測定物の重量を計量している状態を示す重量計空洞部の断面図である。
【図５】携帯端末装置を用いた重量計測、金額計算及び通知処理の一例を示す流れ図である。
【図６】図５に示したステップＳ４３の計測パラメータの設定処理を示す流れ図である。
【図７】図５に示すたステップＳ４５の計測結果の算出処理を示す流れ図である。
【図８】携帯端末装置の最小の構成例を示すブロック図である。
【符号の説明】
【００９１】
１０  携帯電話機
１１  制御部
１２  ＲＯＭ
１３  ＲＡＭ
１４  重量センサ制御部
１５  重量センサ
１６  バス
１７  無線部
１８  キー入力部
１９  表示部
２０  計算部
２１  音声処理部
２２  スピーカ
１２０  重量計空洞部
１２１  本体ハウジング
１３０  重量計
１３１  バンド
１３２  鰐口クリップ
１３３  カバー
１３４  重量分散ナット
１３５  ナットボタン
１３６  ばねアーム
１３７  円錐ヘッド
１３９  ガイドフランジ
１４０  開口
【図１】
2009063542.tif 000003
【図２】
2009063542.tif 000004
【図３】
2009063542.tif 000005
【図４】
2009063542.tif 000006
【図５】
2009063542.tif 000007
【図６】
2009063542.tif 000008
【図７】
2009063542.tif 000009
【図８】
2009063542.tif 000010